【手続補正書】
【提出日】平成16年12月22日(2004.12.22)
【手続補正１】
【補正対象書類名】特許請求の範囲
【補正対象項目名】全文
【補正方法】変更
【補正の内容】
【特許請求の範囲】
【請求項１】
少なくとも第１の搬送波複信構成要素（６２、６３）と第２の搬送波複信構成要素（６１）とを有するスペクトルブロック（５１）を使用したセルラー通信システム（１）のアイドル固定モードにある移動局（１１）のための搬送波の再選択方法であって、前記搬送波複信構成要素（６１、６２、６３）がアップリンク及びダウンリンクの双方向通信を提供する１以上の搬送波と定義され、 
前記移動局（１１）のための搬送波複信構成要素の候補を選択するステップと、 
ダウンリンク搬送波が、前記移動局（１１）が現在使用中のダウンリンク搬送波と異なる場合、前記移動局（１１）を前記搬送波複信構成要素の候補のダウンリンク搬送波に再固定するステップとを含み、 
前記移動局（１１）が、外部通信システム（２）により使用される隣接する外部スペクトルブロック（５２）に対して干渉を引き起こす確率と対応付けられた指標を取得するステップを含み、前記指標値が低いことは干渉確率が高いことに関連し、前記指標が前記セルラー通信システム（１）と前記外部システム（２）とが通信することなしに取得され、前記選択ステップが、前記指標が第１閾値より小さい場合に前記搬送波複信構成要素の候補として前記第１の搬送波複信構成要素（６２、６３）を選択することを含むことを特徴とする方法。 
【請求項２】
少なくとも第１搬送波複信構成要素（６２、６３）と第２搬送波複信構成要素（６１）を有するスペクトルブロックを使用したセルラー通信システム（１）のアクティブモードにある移動局（１１）のための搬送波のハンドオーバーの方法であって、前記搬送波複信構成要素（６１、６２、６３）がアップリンク及びダウンリンクの双方向通信を提供する１以上の搬送波と定義され、 
前記移動局（１１）のための搬送波複信構成要素の候補を選択するステップと、 
前記搬送波複信構成要素の候補が、前記移動局（１１）が現在使用中の搬送波複信構成要素と異なる場合、前記搬送波複信構成要素の候補への搬送波のハンドオーバーを実行するステップとを含み、 
前記移動局（１１）が、外部通信システム（２）により使用される隣接する外部スペクトルブロック（５２）に対して干渉を引き起こす確率と対応付けられた指標を取得するステップを含み、前記指標値が低いことは干渉確率が高いことに関連し、前記指標が前記セルラー通信システム（１）と前記外部システム（２）とが通信することなしに取得され、前記選択ステップが、前記指標が第１閾値より小さい場合に前記搬送波複信構成要素の候補として前記第１搬送波複信構成要素（６２、６３）を選択することを含むことを特徴とする方法。 
【請求項３】
前記選択ステップは、前記第１閾値以上の値である第２閾値を前記指標が上回る場合に、前記搬送波複信構成要素の候補として前記第２搬送波複信構成要素（６１）を選択することを含むことを特徴とする請求項１又は２に記載の方法。 
【請求項４】
前記移動局（１１）による要求に応じて、又は前記システム（１）への登録に応じて前記第１閾値及び第２閾値のうち少なくとも一方を前記移動局（１１）に送信することを特徴とする請求項１ないし３のいずれかに記載の方法。 
【請求項５】
前記移動局（１１）による要求に応じて、又は前記システム（１）への登録に応じて前記第１搬送波複信構成要素（６２、６３）及び第２搬送波複信構成要素（６１）の表記を前記移動局（１１）に送信することを特徴とする請求項１ないし４のいずれかに記載の方法。 
【請求項６】
少なくとも第１搬送波複信構成要素（６２、６３）及び第２搬送波複信構成要素（６１）を有するスペクトルブロック（５１）を使用するセルラー通信システム（１）のアイドルモードにある移動局（１１）のための搬送波選択方法であって、前記搬送波複信構成要素（６１、６２、６３）がアップリンク及びダウンリンクの双方向通信を提供する１以上の搬送波と定義され、 
前記移動局（１１）のための搬送波複信構成要素の候補を選択するステップと、 
前記通信システム（１）に固定されて前記アイドルモードからアイドル固定モードになる際に、前記移動局（１１）を前記搬送波複信構成要素の候補のダウンリンク搬送波に固定するステップとを含み、 
前記移動局が、外部通信システム（２）により使用される隣接する外部スペクトルブロック（５２）に対して干渉を引き起こす確率と対応付けられた指標を取得するステップを含み、前記指標値が低いことは干渉確率が高いことに関連し、前記指標が、前記セルラー通信システム（１）と前記外部システム（２）とが通信することなしに取得され、前記選択するステップが、前記指標が第１閾値より小さい場合に前記搬送波複信構成要素の候補として前記第１搬送波複信構成要素（６２）を選択することを含むことを特徴とする方法。 
【請求項７】
前記選択するステップは、前記第１閾値以上の値である第２閾値を前記指標が上回る場合に前記搬送波複信構成要素の候補として前記第２搬送波複信構成要素（６１）を選択することをさらに含むことを特徴とする請求項６に記載の方法。 
【請求項８】
反復される放送情報として前記第１及び第２閾値のうち少なくとも一方を受信することを特徴とする請求項１ないし７のいずれかに記載の方法。 
【請求項９】
反復される放送情報として前記第１搬送波複信構成要素（６２、６３）及び第２搬送波複信構成要素（６１）の表記を受信することを特徴とする請求項１ないし８のいずれかに記載の方法。 
【請求項１０】
前記移動局（１１）がアップリンク電力制御を有し、前記指標が帰属する最も近接した基地局（２１）からの伝搬損失に少なくとも部分的に基づいていることを特徴とする請求項１ないし９のいずれかに記載の方法。 
【請求項１１】
前記指標が放送制御チャネルの無線信号強度に依存していることを特徴とする請求項１０に記載の方法。 
【請求項１２】
前記第１搬送波複信構成要素（６２、６３）は、干渉の誘発性を持つ最も近接した外部スペクトルブロック（５２）に対して前記第２搬送波複信構成要素（６１）よりも大きな周波数分離を有することを特徴とする請求項１ないし１１のいずれかに記載の方法。 
【請求項１３】
移動局（１１）との通信手段を有し、少なくとも第１搬送波複信構成要素（６２、６３）と第２搬送波複信構成要素（６１）を有するスペクトルブロック（５１）を使用する複数の基地局（２１）であって、前記搬送波複信構成要素（６１、６２、６３）がアップリンク及びダウンリンクの双方向通信を提供する１以上の搬送波と定義される基地局と、
搬送波複信構成要素の候補を選択する選択手段と、 
アイドルモードにある移動局（１１）を前記搬送波複信構成要素の候補のダウンリンク搬送波に固定する手段、 
前記ダウンリンク搬送波が、前記移動局（１１）が現在固定されているダウンリンク搬送波と異なる場合に、アイドル固定モードにある移動局（１１）を前記搬送波複信構成要素の候補に再固定する手段、及び 
前記搬送波複信構成要素の候補が、前記移動局（１１）が現在使用中の搬送波複信構成要素と異なる場合に、前記搬送波複信構成要素の候補へ搬送波のハンドオーバーを実行する手段、 
のうちの少なくとも１手段と、 
を有するセルラー通信システム（１）であって、 
前記移動局（１１）が、外部通信システムにより使用される隣接する外部スペクトルブロック（５２）に対して干渉を引き起こす確率と対応付けられる指標を取得する手段を有し、前記指標値が低いことは干渉確率が高いことに関連し、前記指標が、前記セルラー通信システム（１）と前記外部システム（２）と通信することなしに取得され、前記選択手段が、前記指標を取得する手段に接続され、前記指標が第１閾値より小さい値である場合に前記搬送波複信構成要素の候補として前記第１搬送波複信構成要素（６２、６３）を選択するように取り決められていることを特徴とするセルラー通信システム。 
【請求項１４】
前記選択手段は、前記第１閾値以上の値である第２閾値を前記指標が上回る場合に、前記搬送波複信構成要素の候補として前記第２搬送波複信構成要素（６１）を選択する手段を有することを特徴とする請求項１３に記載のシステム。 
【請求項１５】
アップリンク電力制御手段を有することと、前記指標が、帰属する最も近接した基地局（２１）からの伝搬損失に少なくとも部分的に基づいていることとを特徴とする請求項１３又は１４に記載のシステム。 
【請求項１６】
前記指標が放送制御チャネルの無線信号強度に依存していることを特徴とする請求項１５に記載のシステム。 
【請求項１７】
前記第１及び第２閾値の少なくとも一方及び／又は前記第１搬送波複信構成要素（６２、６３）と第２搬送波複信構成要素（６１）の表記を送信する送信手段（２２８）を有することを特徴とする請求項１３ないし１６のいずれかに記載のシステム。 
【請求項１８】
前記第１搬送波複信構成要素（６２、６３）は、干渉の誘発性を持つ最も近接した外部スペクトルブロック（５２）に対して前記第２搬送波複信構成要素（６１）よりも大きな周波数分離を有することを特徴とする請求項１３ないし１７のいずれかに記載の方法。
【請求項１９】
少なくとも第１搬送波複信構成要素（６２、６３）と第２搬送波複信構成要素（６１）を有するスペクトルブロック（５１）を使用するセルラー通信システム（１）における移動局（１１）であって、前記搬送波複信構成要素（６１、６２、６３）が、アップリンク及びダウンリンクの双方向通信を提供する複数の搬送波と定義され、 
前記移動局（１１）のための搬送波複信構成要素の候補を選択する選択手段（２０６）と、 
前記通信システム（１）に固定されてアイドルモードからアイドル固定モードになる際に、前記移動局（１１）を前記搬送波複信構成要素の候補のダウンリンク搬送波に固定する手段（２００）、 
前記ダウンリンク搬送波が、前記移動局（１１）が現在固定されているダウンリンク搬送波と異なる場合に、前記移動局（１１）を、前記搬送波複信構成要素の候補のダウンリンク搬送波に再固定する手段（２０２）、及び 
前記搬送波複信構成要素の候補が、前記移動局（１１）が現在使用中の搬送波複信構成要素と異なる場合に、前記搬送波複信構成要素の候補へ搬送波のハンドオーバーを実行する手段（２０４）、 
のうちの少なくとも１手段と、 
を有する移動局（１１）であって、 
前記移動局（１１）が、外部通信システム（２）により使用される隣接する外部スペクトルブロック（５２）に対して干渉を引き起こす確率と対応付けられる指標を取得する手段（２０８）を有し、前記指標値が低いことは干渉確率が高いことに関連し、前記指標が、前記セルラー通信システム（１）と前記外部システム（２）とが通信することなしに取得され、前記選択手段（２０６）が、前記指標を取得する手段（２０８）に接続され、前記指標が第１閾値より小さい値である場合に、前記搬送波複信構成要素の候補として前記第１搬送波複信構成要素（６２、６３）を選択するように取り決められていることを特徴とする移動局。 
【請求項２０】
前記選択手段（２０６）は、前記第１閾値以上の値である第２閾値を前記指標が上回る場合に、前記搬送波複信構成要素の候補として前記第２搬送波複信構成要素（６１）を選択する手段をさらに有することを特徴とする請求項１９に記載の移動局。 
【請求項２１】
前記第１及び第２閾値の少なくとも一方及び／又は前記第１搬送波複信構成要素（６２、６３）及び第２搬送波複信構成要素（６１）の表記を受信する受信機手段（２１４）を有することを特徴とする請求項１９又は２０に記載の移動局。 
【請求項２２】
アップリンク電力制御手段（２１０）を有することと、前記指標が帰属する最も近接した基地局（２１）からの伝搬損失に少なくとも部分的に基づいていることとを特徴とする請求項１９ないし２１のいずれかに記載の移動局。 
【請求項２３】
前記指標が放送制御チャネルの無線信号強度に依存していることを特徴とする請求項２２に記載の移動局。 
【請求項２４】
前記第１搬送波複信構成要素（６２、６３）は、干渉の誘発性を持つ最も近接した外部スペクトルブロック（５２）に対して前記第２搬送波複信構成要素（６１）よりも大きな周波数分離を有することを特徴とする請求項１９ないし２３のいずれかに記載の移動局。